(57)【特許請求の範囲】
【請求項１】
前面輪郭が略長方形状を成す本体板部と、側面輪郭が略四角形状を成し、且つ、前記本体板部の後面に左右方向に間隔をおいて設けられた複数個の張出板部とを備えた護岸ブロックであって、
前記本体板部の下面における前記複数個の張出板部の下面との境目を除いた区域には、前記複数個の張出板部の数に１を加算した数の複数個の突起が左右方向に間隔をおいて略同じ高さでそれぞれ設けられており、
前記本体板部の上面における前記複数個の張出板部の上面との境目を除いた区域には、前記複数個の突起それぞれが挿入可能で、且つ、前端が閉じ後端が開いた複数個の溝が左右方向に間隔をおいて略同じ深さでそれぞれ設けられており、
前記護岸ブロックを上下に積み重ねたときに、上段側の護岸ブロックの前記本体板部の下面及び前記複数個の張出板部の下面が下段側の護岸ブロックの前記本体板部の上面及び前記複数個の張出板部の上面にそれぞれ接すると共に、上段側の護岸ブロックの前記複数個の突起が下段側の護岸ブロックの前記複数個の溝に各々の前方向移動を阻止された状態でそれぞれ挿入されるように構成されており、
前記複数個の張出板部の下端部には、前記本体板部の下面よりも下方に突出した延長部がその突出高さが前記複数個の突起の高さと略同じになるように設けられていて、該延長部の下面が前記複数個の張出板部の下面を構成しており、
前記複数個の張出板部の上端部には、前記本体板部の上面よりも下方に窪んだ凹みがその窪み深さが前記複数個の溝の深さと略同じになるように設けられていて、該凹みの底面が前記複数個の張出板部の上面を構成している、
護岸ブロック。
【請求項２】
前記複数個の突起それぞれの左右寸法は、各々が対応する前記複数個の溝それぞれの左右寸法よりも僅かに小さい、
請求項１に記載の護岸ブロック。
【請求項３】
前記複数個の張出板部のうちの最も左側の張出板部の左右方向中心と前記本体板部の左面との間隔、並びに、最も右側の張出板部の左右方向中心と前記本体板部の右面との間隔は、隣り合う２個の張出板部の左右方向中心間隔の略１／２であり、
前記複数個の突起のうちの最も左側の突起の左右寸法、並びに、最も右側の突起の左右寸法は、残りの突起の左右寸法の１／２以下であり、
前記複数個の溝のうちの最も左側の溝の左右寸法、並びに、最も右側の溝の左右寸法は、残りの溝の左右寸法の１／２以下であり、
前記複数個の溝のうちの最も左側の溝は前記後端に加えて左端が開いた溝形態を有し、最も右側の溝は前記後端に加えて右端が開いた溝形態を有している、
請求項１又は２に記載の護岸ブロック。
【請求項４】
前記複数個の張出板部の数は２個、前記複数個の突起の数は３個、前記複数個の溝の数は３個である、
請求項１〜３の何れか１項に記載の護岸ブロック。
【請求項５】
前記本体板部は側面から見たときに鉛直線に対して鋭角範囲内の角度をもって後側に傾いており、
前記複数個の張出板部の側面輪郭は各々の後面が前記本体板部の前面と略平行な略平行４辺形状である、
請求項１〜４の何れか１項に記載の護岸ブロック。
【請求項６】
前記複数個の張出板部の後面には、胴込コンクリート充填用の第１凹部が該後面の左端から右端に及ぶように少なくとも１個設けられ、
前記複数個の張出板部の下面には、胴込コンクリート充填用の第２凹部が該下面の左端から右端に及ぶように少なくとも１個設けられ、
前記複数個の張出板部の前記第１凹部及び前記第２凹部を除く区域には、胴込コンクリート充填用の貫通孔が少なくとも１個設けられている、
請求項１〜５の何れか１項に記載の護岸ブロック。
【請求項７】
前記請求項１〜６の何れか１項に記載の護岸ブロックを地盤の法面に設けられた裏込層の表面に沿って段毎に順次積み重ねて構成された護岸構造物であって、
積み重ねられた各護岸ブロックは上段側の護岸ブロックの前記本体板部の下面及び前記複数個の張出板部の下面が下段側の護岸ブロックの前記本体板部の上面及び前記複数個の張出板部の上面にそれぞれ接し、該各護岸ブロックの前記複数個の張出板部の後面が前記裏込層の表面に接すると共に、上段側の護岸ブロックの前記複数個の突起が下段側の護岸ブロックの前記複数個の溝に各々の前方向移動を阻止された状態でそれぞれ挿入されており、
積み重ねられた前記各護岸ブロックの本体板部の後面と前記裏込層の表面との間に形成された空隙に胴込コンクリートが充填されている、
護岸構造物。
【請求項８】
前記各護岸ブロックは請求項６に記載の護岸ブロックであり、
前記各護岸ブロックの前記本体板部の後面と前記裏込層の表面との間に形成された空隙に加えて、前記複数個の張出板部に設けられた第１凹部によって形成された空隙と、前記複数個の張出板部に設けられた第２凹部によって形成された空隙と、前記複数個の張出板部に設けられた貫通孔内とに、前記胴込コンクリートが充填されている、
請求項７に記載の護岸構造物。
【請求項９】
前記裏込層は、裏込コンクリート層である、
請求項７又は８に記載の護岸構造物。
【発明の詳細な説明】
【技術分野】
【０００１】
本発明は、海岸や川岸等の地盤の法面を被覆して保護する護岸構造物を構築するときに用いられる護岸ブロックと、該護岸ブロックを用いて構築された護岸構造物に関する。
【背景技術】
【０００２】
前記護岸構造物を構築するときに用いられる護岸ブロックとして、前面輪郭が略長方形状を成す本体板部を主体とするもの（例えば後記特許文献１を参照）と、同様の本体板部と該本体板部の後面に設けられた複数の張出板部とを主体とするもの（例えば後記特許文献２を参照）とが知られている。因みに、後者の護岸ブロックにおける複数の張出板部は、本体板部の後側に胴込コンクリートを充填するための空隙を形成するためのものである。
【０００３】
複数の張出板部を有する後者の護岸ブロックの質量は、本体板部の材料及び主要寸法が同じであっても前者の護岸ブロックの質量に比べて格段大きく、主要寸法が大きいものにあっては１０００ｋｇを超える。そのため、後者の護岸ブロックを用いて護岸構造物を構築するときの施工性は、前者の護岸ブロックを用いて護岸構造物を構築するときの施工性よりも概して悪い。以下この点について説明する。
【０００４】
後者の護岸ブロックを用いて護岸構造物を構築するときには、法面に設けられた裏込層の表面に沿って該護岸ブロックを段毎に順次積み重ねる作業、具体的にはクレーンによって吊り下げられた未設の護岸ブロックを既設の護岸ブロックの上方に移送した後、該未設の護岸ブロックを吊り下げ状態のままゆっくりと降下させながら既設の護岸ブロック上に積み重ねる作業が繰り返し行われる。
【０００５】
ところで、後者の護岸ブロックは、積み重ねられた護岸ブロックの位置ズレ（主として前方向への位置ズレ）を防止するための位置決め手段、例えば護岸ブロックの上面に設けられた複数のピンと下面に設けられた複数のピン差込穴を備えている。即ち、位置決め手段が複数のピンと複数のピン差込穴である場合には、前記積み重ね作業において未設の護岸ブロックを吊り下げ状態のままゆっくりと降下させながら既設の護岸ブロック上に積み重ねるときに、未設の護岸ブロックの下面に存する複数のピン差込穴を既設の護岸ブロックの上面に存する複数のピンに相対的に、且つ、同時に差し込む作業が必要となる。
【０００６】
しかしながら、先に述べたように後者の護岸ブロックの質量は前者の護岸ブロックの質量に比べて格段大きいため、前記差し込み作業を的確に実施するには、幾人もの現場作業員によって吊り下げ状態の護岸ブロックを前後左右方向に動かして位置調整を極力正確に行わなければならない。しかも、未設の護岸ブロックの下面に存する複数のピン差込穴の向きと既設の護岸ブロックの上面に存する複数のピンの向きが合っていないと差し込み時にピン及びピン差込穴に破損を生じる可能性が高いため、前記位置調整と並行して、吊り下げ状態の護岸ブロックの傾きを適正化するための傾き調整を極力正確に行わなければならない。この傾き調整は前記位置調整よりも労力を要し、且つ、困難であるため、後者の護岸ブロックを用いて護岸構造物を構築するときの施工性が悪化してしまう。
【先行技術文献】
【特許文献】
【０００７】
【特許文献１】特開２００５−２５６５５０号公報
【特許文献２】特開２００６−１０４８２０号公報
【発明の概要】
【発明が解決しようとする課題】
【０００８】
本発明の課題は、護岸構造物を構築するときの施工性を向上できる護岸ブロックと、該護岸ブロックを用いて良施工性下で構築できる護岸構造物を提供することにある。
【課題を解決するための手段】
【０００９】
前記課題を解決するため、本発明に係る護岸ブロックは、前面輪郭が略長方形状を成す本体板部と、側面輪郭が略四角形状を成し、且つ、前記本体板部の後面に左右方向に間隔をおいて設けられた複数個の張出板部とを備えた護岸ブロックであって、前記本体板部の下面における前記複数個の張出板部の下面との境目を除いた区域には、前記複数個の張出板部の数に１を加算した数の複数個の突起が左右方向に間隔をおいて略同じ高さでそれぞれ設けられており、前記本体板部の上面における前記複数個の張出板部の上面との境目を除いた区域には、前記複数個の突起それぞれが挿入可能で、且つ、前端が閉じ後端が開いた複数個の溝が左右方向に間隔をおいて略同じ深さでそれぞれ設けられており、前記護岸ブロックを上下に積み重ねたときに、上段側の護岸ブロックの前記本体板部の下面及び前記複数個の張出板部の下面が下段側の護岸ブロックの前記本体板部の上面及び前記複数個の張出板部の上面にそれぞれ接すると共に、上段側の護岸ブロックの前記複数個の突起が下段側の護岸ブロックの前記複数個の溝に各々の前方向移動を阻止された状態でそれぞれ挿入されるように構成されている。
【００１０】
一方、本発明に係る護岸構造物は、前掲の護岸ブロックを地盤の法面に設けられた裏込層の表面に沿って段毎に順次積み重ねて構成された護岸構造物であって、積み重ねられた各護岸ブロックは上段側の護岸ブロックの前記本体板部の下面及び前記複数個の張出板部の下面が下段側の護岸ブロックの前記本体板部の上面及び前記複数個の張出板部の上面にそれぞれ接し、該各護岸ブロックの前記複数個の張出板部の後面が前記裏込層の表面に接すると共に、上段側の護岸ブロックの前記複数個の突起が下段側の護岸ブロックの前記複数個の溝に各々の前方向移動を阻止された状態でそれぞれ挿入されており、積み重ねられた前記各護岸ブロックの本体板部の後面と前記裏込層の表面との間に形成された空隙に胴込コンクリートが充填されている。
【発明の効果】
【００１１】
本発明によれば、護岸構造物を構築するときの施工性を向上できる護岸ブロックと、該護岸ブロックを用いて良施工性下で構築できる護岸構造物を提供することができる。
【図面の簡単な説明】
【００１２】
【図１】図１（Ａ）は本発明を適用した護岸ブロックの正面図、図１（Ｂ）は図１（Ａ）に示した護岸ブロックの右側面図、図１（Ｃ）は図１（Ａ）に示した護岸ブロックの平面図である。
【図２】図２（Ａ）は図１に示した護岸ブロックを用いて構築された護岸構造物の縦断面図、図２（Ｂ）は図２（Ａ）の部分拡大図である。
【図３】図３は図２に示した護岸構造物を構築するときの護岸ブロックの積み重ね手順を説明するための図である。
【図４】図４は図２に示した護岸構造物を構築するときの護岸ブロックの積み重ね手順を説明するための図である。
【図５】図５は図２に示した護岸構造物を構築するときの護岸ブロックの積み重ね手順を説明するための図である。
【図６】図６は図２に示した護岸構造物を構築するときの護岸ブロックの積み重ね手順を説明するための図である。
【図７】図７は図１に示した護岸ブロックをマトリックス配列で積み重ねた場合の護岸構造物の部分正面図である。
【図８】図７は図１に示した護岸ブロックを千鳥配列で積み重ねた場合の護岸構造物の部分正面図である。
【図９】図９は図１に示した護岸ブロックの第１変形例を示す図１（Ｃ）対応図である。
【図１０】図１０は図１に示した護岸ブロックの第２変形例を示す図１（Ｃ）対応図である。
【図１１】図１１は図１に示した護岸ブロックの第３変形例を示す図１（Ｃ）対応図である。
【発明を実施するための形態】
【００１３】
先ず、図１を引用して、本発明を適用した護岸ブロック１０の構成について説明する。この説明では、便宜上、図１（Ａ）の手前側を前、奥側を後、左側を左、右側を右、上側を上、下側を下と表記する。
【００１４】
護岸ブロック１０はプレキャストコンクリートブロックであり、図１（Ａ）、図１（Ｂ）及び図１（Ｃ）に示したように、前面輪郭が略長方形状を成す本体板部１１と、側面輪郭が略四角形状を成し、且つ、本体板部１１の後面に左右方向に間隔をおいて設けられた２個の張出板部１２とを備えている。
【００１５】
本体板部１１の前面は側面から見たとき鉛直線に対して鋭角範囲内の角度θ（図１（Ｃ）では略２６度）をもって後側に傾いており、該本体板部１１の前面外縁には後記伸縮目地（符号無し）を設けるための面取り（符号無し）が施されている。図示を省略したが、本体板部１１の前面には周囲の景観に見合うような模様、例えば荒砂模様や擬石模様や石積模様や幾何学模様等が適宜設けられている。
【００１６】
また、本体板部１１の下面における２個の張出板部１２の下面との境目を除いた区域、具体的には中央区域と左側区域と右側区域には、３個の突起１１ａ、１１ｂ及び１１ｃが左右方向に間隔をおいてそれぞれ設けられている。３個の突起１１ａ、１１ｂ及び１１ｃは左右方向に延びた略４角錐台状を成していて、各々の高さ及び前後寸法は略同じである。加えて、３個の突起１１ａ、１１ｂ及び１１ｃのうちの左側の突起１１ｂの左右寸法、並びに、右側の突起１１ｃの左右寸法は、中央の突起１１ａの左右寸法の１／２以下となっており（図１（Ａ）を参照）、しかも、３個の突起１１ａ、１１ｂ及び１１ｃそれぞれの左右寸法は各々が対応する後記３個の溝１１ｄ、１１ｅ及び１１ｆそれぞれの左右寸法よりも僅かに小さい（図１（Ａ）及び図１（Ｃ）を参照）。
【００１７】
さらに、本体板部１１の上面における２個の張出板部１２の上面との境目を除いた区域、具体的には中央区域と左側区域と右側区域には、前記３個の突起１１ａ、１１ｂ及び１１ｃそれぞれが挿入可能な３個の溝１１ｄ、１１ｅ及び１１ｆが左右方向に間隔をおいてそれぞれ設けられている。３個の溝１１ｄ、１１ｅ及び１１ｆは左右方向に延びた略４角錐台状の空間を有していて、各々の深さ及び前後寸法は略同じである。中央の溝１１ｄは前端、左端及び右端が閉じ後端が開いた４面構成の溝形態（底面、前面、左面及び右面から成る溝形態）を有し、左側の溝１１ｅは前端及び右端が閉じ後端及び左端が開いた３面構成の溝形態（底面、前面及び右面から成る溝形態）を有し、右側の溝１１ｆは前端及び左端が閉じ後端及び右端が開いた３面構成の溝形態（底面、前面及び左面から成る溝形態）を有しており、各溝１１ｄ、１１ｅ及び１１ｆの後端は本体板部１１の後面で開口している。加えて、３個の溝１１ｄ、１１ｅ及び１１ｆのうちの左側の溝１１ｅの左右寸法、並びに、右側の溝１１ｆの左右寸法は、中央の溝１１ｄの左右寸法の１／２以下となっている（図１（Ｃ）を参照）。
【００１８】
一方、２個の張出板部１２は、本体板部１１が後側に傾いている関係から、各々の後面が本体板部１１の前面と略平行な略平行４辺形状の側面輪郭を有しており、各々の上面と下面は鉛直線に対して略直角を成している（図１（Ｂ）を参照）。
【００１９】
また、２個の張出板部１２は、上面輪郭が略台形状を成す基部１２ａと、上面輪郭が略矩形状を成す中間部１２ｂと、上面輪郭が略台形状を成す端部１２ｃを連続して有している。具体的には、基部１２ａは左右両面が本体板部１１の前面と鋭角を成す面で構成されているためその厚さは後方向に向かって徐々に薄くなっており、その最小厚さは中間部１２ｂの厚さと略一致している。中間部１２ｂは左右両面が本体板部１１の前面と略直角を成す面で構成されているためその厚さは略一定である。端部１２ｃは左右両面の一方のみ（右側の張出板部１２の端部１２ｃは右面のみ、左側の張出板部１２の端部１２ｃは左面のみ）が本体板部１１の前面と鋭角を成す面で構成されているためその厚さは後方向に向かって徐々に厚くなっており、その最小厚さは中間部１２ｂの厚さと略一致している。因みに、特許請求の範囲に記載した「張出板部の左右方向中心」は、ここでは基部１２ａ及び中間部１２ｂの左右方向中心が該当する。
【００２０】
さらに、２個の張出板部１２のうちの左側の張出板部１２の左右方向中心と本体板部１１の左面との間隔ＩＮ２、並びに、右側の張出板部１２の左右方向中心と本体板部１１の右面との間隔ＩＮ３は、隣り合う２個の張出板部１２の左右方向中心間隔ＩＮ１の略１／２となっている（図１（Ａ）及び図１（Ｃ）を参照）。
【００２１】
さらに、２個の張出板部１２の下端部、具体的には中間部１２ｂの下端一部と端部１２ｃの下端全部には、本体板部１１の下面よりも下方に突出した延長部１２ｂ１及び１２ｃ１がその突出高さが前記３個の突起１１ａ、１１ｂ及び１１ｃの高さと略同じになるように設けられている。即ち、延長部１２ｂ１及び１２ｃ１の下面が、２個の張出板部１２の実質的な下面を構成している。
【００２２】
さらに、２個の張出板部１２の上端部、具体的には基部１２ａの上端一部と中間部１２ｂの上端全部と端部１２ｃの上端全部には、本体板部１１の上面よりも下方に窪んだ凹み１２ｄがその窪み深さが前記３個の溝１１ｄ、１１ｅ及び１１ｆの深さと略同じになるように設けられている。即ち、凹み１２ｄの底面が、２個の張出板部１２の実質的な上面を構成している。
【００２３】
さらに、２個の各張出板部１２の後面の略高さ方向中央には、胴込コンクリート充填用の第１凹部１２ｅが該後面の左端から右端に及ぶように１個設けられている。この第１凹部１２ｅは側面輪郭が略弓形状を成していて、最深部は端部１２ｃと中間部１２ｂの境界線に達している。
【００２４】
さらに、２個の張出板部１２の下面、具体的には基部１２ａ及び中間部１２ｂの下面には、胴込コンクリート充填用の第２凹部１２ｆが該下面の左端から右端に及ぶように１個設けられている。この第２凹部１２ｆは側面輪郭が略台形状を成していて、その上辺は下側の貫通孔１２ｇの近くまで達している。
【００２５】
さらに、２個の張出板部１２の第１凹部１２ｅ及び第２凹部１２ｆを除く区域、具体的には基部１２ａの第２凹部１２ｆよりも上方の区域には、胴込コンクリート充填用の貫通孔１２ｇが上下方向に間隔をおいて２個設けられている。これら貫通孔１２ｇは側面輪郭が略円形状を成していて、各々の直径は略同じである。因みに、各張出板部１２に設けられた２個の貫通孔１２ｇは、護岸ブロック１０をクレーンを用いて吊り下げて移送するときにワイヤー等の吊り下げ具を引っかけるための孔を兼用している。
【００２６】
前記護岸ブロック１０は、図１（Ｂ）に示した姿勢、即ち、本体板部１１の下面に設けられた３個の突起１１ａ、１１ｂ及び１１ｃの下面と２個の張出板部１２の延長部１２ｂ１及び１２ｃ１の下面が接地した姿勢での自立が可能であるため、輸送用トラックの荷台や施工現場の空き地等に自立状態で載置することができる。
【００２７】
ここで、前記護岸ブロック１０の構成をより明らかにするために、実際に試作した護岸ブロック１０の仕様について紹介する。因みに、後記数値は何れも設計上の基準値である。
【００２８】
試作した護岸ブロック１０における本体板部１１の左右寸法ｄ１は１９９８ｍｍ、上下寸法ｄ２は９９８ｍｍ、傾斜角度θは２６度であり、護岸ブロック１０を正面から見たときの本体板部１１の上下寸法ｄ２は８９３ｍｍ、本体板部１１の厚さｄ４は１００ｍｍである。また、本体板部１１の下面に設けられた３個の突起１１ａ、１１ｂ及び１１ｃの高さｄ５は３６ｍｍ、中央の突起１１ａの左右寸法（符号無し）は６６０ｍｍ、左側の突起１１ｂの左右寸法（符号無し）は３００ｍｍ、右側の突起１１ｃの左右寸法（符号無し）は３３０ｍｍである。さらに、本体板部１１の上面に設けられた３個の溝１１ｄ、１１ｅ及び１１ｆの深さｄ６は３７ｍｍ、中央の溝１１ｄの左右寸法（符号無し）は７００ｍｍ、左側の溝１１ｅの左右寸法（符号無し）は３１０ｍｍ、右側の溝１１ｆの左右寸法（符号無し）は３５０ｍｍである。
【００２９】
一方、試作した護岸ブロック１０における２個の張出板部１２の本体板部１１の後面と直交する方向の寸法ｄ７は４００ｍｍ、護岸ブロック１０を側面から見たときの２個の張出板部１２の上下寸法ｄ８は８９０ｍｍ、隣り合う２個の張出板部１２の左右方向中心間隔ＩＮ１は９９９ｍｍ、左側の張出板部１２の左右方向中心と本体板部１１の左面との間隔ＩＮ２は４９９．５ｍｍ、右側の張出板部１２の左右方向中心と本体板部１１の右面との間隔ＩＮ３は４９９．５ｍｍである。また、２個の張出板部１２の延長部１２ｂ１及び１２ｃ１の突出高さｄ９（＝ｄ５）は３６ｍｍ、２個の張出板部１２の凹み１２ｄの窪み深さｄ１０（＝ｄ６）は３７ｍｍである。
【００３０】
次に、図２を引用して、前記護岸ブロック１０を用いて構築された護岸構造物ＲＳの構成及び施工方法について説明する。この説明では、先に説明した前記護岸ブロック１０の前・後・左・右・上・下の表記と整合するように、図２（Ａ）の左側を前、右側を後、奥側を左、手前側を右、上側を上、下側を下と表記する。
【００３１】
海岸や川岸等の地盤ＧＲの法面ＳＬの表面には裏込砕石層ＢＭが設けられ、該裏込砕石層ＢＭの表面には裏込コンクリート層ＢＣが設けられている。また、裏込砕石層ＢＭ及び裏込砕石層ＢＭの下側にはコンクリート製の基礎部ＦＰが設けられ、その上部後側に調整コンクリート部ＡＣが設けられている。調整コンクリート部ＡＣは、１段目の護岸ブロック１０の高さ位置を調整するものであって、その役割を基礎部ＦＰに担わせることも可能であることから必ずしも必要なものではない。
【００３２】
１段目を構成する複数個の護岸ブロック１０は、各護岸ブロック１０の本体板部１１の下面及び２個の張出板部１２の下面が調整コンクリート部ＡＣの上面に接し、２個の張出板部１２の後面が裏込コンクリート層ＢＣの表面に接すると共に、左右方向で隣接する護岸ブロック１０の本体板部１１の左面及び右面の少なくとも一方が対向するように設置されている。
【００３３】
２段目〜４段目それぞれを構成する複数個の護岸ブロック１０は、上段側の各護岸ブロック１０の本体板部１１の下面及び２個の張出板部１２の下面が下段側の各護岸ブロック１０の本体板部１１の上面及び２個の張出板部１２の上面にそれぞれ接し、上段側の各護岸ブロック１０の２個の張出板部１２の後面が裏込コンクリート層ＢＣの表面に接すると共に、左右方向で隣接する護岸ブロック１０の本体板部１１の左面及び右面の少なくとも一方が対向するように積み重ねられている。また、２段目〜４段目それぞれを構成する複数個の護岸ブロック１０は、上段側の各護岸ブロック１０の本体板部１１の下面に設けられた３個の突起１１ａ、１１ｂ及び１１ｃが、下段側の護岸ブロック１０の本体板部１１の上面に設けられた３個の溝１１ｄ、１１ｅ及び１１ｆに各々の前方向移動を阻止された状態でそれぞれ挿入されている。
【００３４】
さらに、全ての段を構成する複数個の護岸ブロック１０それぞれの本体板部１１の後面と裏込コンクリート層ＢＣの表面との間に形成された空隙と、２個の張出板部１２に設けられた第１凹部１２ｅの内面と裏込コンクリート層ＢＣの表面との間に形成された空隙と、２個の張出板部１２に設けられた第２凹部１２ｆの内面と下段側の２個の張出板部１２の上面（凹み１２ｄの底面を指す）との間に形成された空隙と、２個の張出板部１２に設けられた２個の貫通孔１２ｇ内には、胴込コンクリートＨＣが充填されている。
【００３５】
さらに、最上段である４段目を構成する複数個の護岸ブロック１０それぞれの上側には、該各護岸ブロック１０と連なるようにコンクリート製の天端被覆ＲＥが設けられている。さらに、左右方向及び上下方向で隣接する護岸ブロック１０の本体板部１１間の隙間には、該本体板部１１の前面外縁に施された面取りを利用して、ゴムアスファルト系等の伸縮目地（図示省略）が設けられている。
【００３６】
次に、図３〜図６を引用して、前記護岸構造物ＲＳを構築するときの護岸ブロック１０の積み重ね手順について説明する。因みに、図３中の下段側の護岸ブロック１０は裏込コンクリート層ＢＣの表面に沿うように設置された既設の護岸ブロックであり、上段側の護岸ブロック１０は該既設の護岸ブロック１０上に積み重ねられる未設の護岸ブロック１０である。
【００３７】
積み重ねに際しては、図３に示したように、クレーンによって吊り下げられた未設の護岸ブロック１０を既設の護岸ブロック１０の上方に移送した後、該未設の護岸ブロック１０を吊り下げ状態のままゆっくりと降下させる。このときには、数人の現場作業員によって吊り下げ状態の護岸ブロック１０を前後左右方向に動かして、未設の護岸ブロック１０の本体板部１１の下面、具体的には該下面の突起１１ａ、１１ｂ及び１１ｃを除く区域が、既設の護岸ブロック１０の本体板部１１の上面、具体的には該上面の溝１１ｄ、１１ｅ及び１１ｆを除く区域に接するようにすると共に、未設の護岸ブロック１０の本体板部１１の下面に設けられた３個の突起１１ａ、１１ｂ及び１１ｃが、既設の護岸ブロックの本体板部１１の上面に設けられた３個の溝１１ｄ、１１ｅ及び１１ｆにそれぞれ向き合うようにする。
【００３８】
図４及び図５を引用した後の説明から理解できるように、護岸ブロック１０の本体部１１の上面に設けられた３個の溝１１ｄ、１１ｅ及び１１ｆは何れも前端が閉じ後端が開いたものであるため、前記過程において未設の護岸ブロック１０の各突起１１ａ、１１ｂ及び１１ｃの前後位置が既設の護岸ブロック１０の各溝１１ｄ、１１ｅ及び１１ｆの前後位置よりも多少後方向にずれていても、該各突起１１ａ、１１ｂ及び１１ｃを各溝１１ｄ、１１ｅ及び１１ｆにそれぞれ挿入できる。また、前記護岸ブロック１０の本体部１１の下面に設けられた３個の突起１１ａ、１１ｂ及び１１ｃそれぞれの左右寸法が、各突起１１ａ、１１ｂ及び１１ｃが対応するように本体部１１の上面に設けられた３個の溝１１ｄ、１１ｅ及び１１ｆそれぞれの左右寸法よりも僅かに小さいため、前記過程において未設の護岸ブロック１０の各突起１１ａ、１１ｂ及び１１ｃの左右位置が既設の護岸ブロック１０の各溝１１ｄ、１１ｅ及び１１ｆの左右位置よりも多少左右方向にずれていても、該各突起１１ａ、１１ｂ及び１１ｃを各溝１１ｄ、１１ｅ及び１１ｆにそれぞれ挿入できる。依って、吊り下げ状態の護岸ブロック１０を前後方向に動かすときにさほど高い正確性を必要としないし、該護岸ブロック１０を左右方向に動かすときにもさほど高い正確性を必要としない。しかも、吊り下げ状態の護岸ブロック１０の傾きを適正化しなくても、未設の護岸ブロック１０の各突起１１ａ、１１ｂ及び１１ｃを既設の護岸ブロック１０の各溝１１ｄ、１１ｅ及び１１ｆにそれぞれ挿入できるため、従前のような正確な傾き調整は不要である。
【００３９】
未設の護岸ブロック１０の本体板部１１の下面が既設の護岸ブロック１０の本体板部１１の上面に接した後は、未設の護岸ブロック１０を吊り下げ状態のままゆっくりと降下させる。すると、図４及び図５に示したように、未設の護岸ブロック１０は既設の護岸ブロック１０との接点を支点として後側にゆっくりと倒れる。この過程では、未設の護岸ブロック１０の２個の張出板部１２の後面が裏込コンクリート層ＢＣの表面を下方向に滑るように変位して接触面積が増加すると共に、未設の護岸ブロック１０の各突起１１ａ、１１ｂ及び１１ｃが既設の護岸ブロック１０の各溝１１ｄ、１１ｅ及び１１ｆにそれぞれ徐々に挿入される。
【００４０】
そして、後側にゆっくりと倒れた未設の護岸ブロック１０の２個の張出板部１２の後面の略全体が裏込コンクリート層ＢＣの表面に接すると、該未設の護岸ブロック１０の延長部１２ｂ１及び１２ｃ１の下面が既設の護岸ブロック１０の凹み１２ｄの底面に接すると共に、未設の護岸ブロック１０の各突起１１ａ、１１ｂ及び１１ｃが既設の護岸ブロック１０の各溝１１ｄ、１１ｅ及び１１ｆにそれぞれ完全に挿入されて、未設の護岸ブロック１０の積み重ねが完了する。既設の護岸ブロック１０の各溝１１ｄ、１１ｅ及び１１ｆは何れも前端が閉じ後端が開いたものであるため、前記の挿入は未設の護岸ブロック１０の後側への倒れ込みに伴ってスムースに行える。また、前記の挿入後は、積み重ねられた護岸ブロック１０の各突起１１ａ、１１ｂ及び１１ｃの前方移動が既設の護岸ブロック１０の各溝１１ｄ、１１ｅ及び１１ｆの前面によってそれぞれ阻止されるため、該積み重ねられた護岸ブロック１０が位置ズレ（主として前方向への位置ズレ）を生じることはない。
【００４１】
前記の積み重ねは、上段側を構成する複数個の護岸ブロック１０それぞれに対して同様に行われる。上段側の各護岸ブロック１０の積み重ねが完了した後は、図６に示したように、上段側の各護岸ブロック１０と本体板部１１の後面と裏込コンクリート層ＢＣの表面との間に形成された空隙にその上方から生コンクリートＲＭＣを流し込む。流し込まれた生コンクリートＲＭＣは、各護岸ブロック１０の本体板部１１の後面と裏込コンクリート層ＢＣの表面との間に形成された空隙に充填される他、２個の張出板部１２に設けられた第１凹部１２ｅによって形成された空隙と、２個の張出板部１２に設けられた第２凹部１２ｆによって形成された空隙と、２個の張出板部１２に設けられた２個の貫通孔１２ｇ内にも充填される。この生コンクリートＲＭＣの流し込みは、２段分の護岸ブロック１０全ての積み重ねが完了する度に行っても良いし（図６を参照）、１段分の護岸ブロック１０全ての積み重ねが完了する度に行っても良い。
【００４２】
尚、図２に示した護岸構造物ＲＳは、該護岸構造物ＲＳを正面から見たとき、全ての護岸ブロック１０がマトリックス配列で積み重ねられたものであるが（図７を参照）、全ての護岸ブロック１０を千鳥配列で積み重ねることもできる（図８を参照）。即ち、前記護岸ブロック１０は、（１）２個の張出板部１２のうちの左側の張出板部１２の左右方向中心と本体板部１１の左面との間隔ＩＮ２、並びに、右側の張出板部１２の左右方向中心と本体板部１１の右面との間隔ＩＮ３は、隣り合う２個の張出板部１２の左右方向中心間隔ＩＮ１の略１／２となっており、（２）本体板部１１の下面の３個の突起１１ａ、１１ｂ及び１１ｃのうちの左側の突起１１ｂの左右寸法、並びに、右側の突起１１ｃの左右寸法は、中央の突起１１ａの左右寸法の１／２以下となっており、（３）本体板部１１の上面の３個の溝１１ｄ、１１ｅ及び１１ｆのうちの左側の溝１１ｅの左右寸法、並びに、右側の溝１１ｆの左右寸法は、中央の溝１１ｄの左右寸法の１／２以下となっており、（４）本体板部１１の上面の中央の溝１１ｄは前端、左端及び右端が閉じ後端が開いた４面構成の溝形態を有し、左側の溝１１ｅは前端及び右端が閉じ後端及び左端が開いた３面構成の溝形態を有し、右側の溝１１ｆは前端及び左端が閉じ後端及び右端が開いた３面構成の溝形態を有しているため、偶数段目を構成する複数個の護岸ブロック１０を積み重ねるときに各護岸ブロック１０の左右方向位置を本体板部１１の左右寸法の略１／２に相当する寸法だけ左方向又は右方向にずらせば、護岸ブロック１０が千鳥配列で積み重ねられた護岸構造物ＲＳを構築することができる。
【００４３】
次に、前記護岸ブロック１０及び前記護岸構造物ＲＳによって得られる効果について説明する。
【００４４】
（Ｅ１）前記護岸ブロック１０は、本体板部１１の下面に３個の突起１１ａ、１１ｂ及び１１ｃが左右方向に間隔をおいて設けられ、該本体板部１１の上面に前記３個の突起１１ａ、１１ｂ及び１１ｃそれぞれが挿入可能で、且つ、前端が閉じ後端が開いた３個の溝１１ｄ、１１ｅ及び１１ｆが左右方向に間隔をおいてそれぞれ設けられている。即ち、護岸構造物ＲＳの構築に際して上段側の未設の護岸ブロック１０を下段側の既設の護岸ブロック１０上に積み重ねるときに、未設の護岸ブロック１０の各突起１１ａ、１１ｂ及び１１ｃの前後位置が既設の護岸ブロック１０の各溝１１ｄ、１１ｅ及び１１ｆの前後位置よりも多少後方向にずれていても該各突起１１ａ、１１ｂ及び１１ｃを該各溝１１ｄ、１１ｅ及び１１ｆにそれぞれ挿入できるため、吊り下げ状態の護岸ブロック１０を前後方向に動かすときにさほど高い正確性を必要としない。しかも、吊り下げ状態の護岸ブロック１０の傾きを適正化しなくても、未設の護岸ブロック１０の各突起１１ａ、１１ｂ及び１１ｃを既設の護岸ブロック１０の各溝１１ｄ、１１ｅ及び１１ｆにそれぞれ挿入できるため、従前のような正確な傾き調整は不要である。さらに、前記の挿入後は、積み重ねられた護岸ブロック１０の各突起１１ａ、１１ｂ及び１１ｃの前方移動が既設の護岸ブロック１０の各溝１１ｄ、１１ｅ及び１１ｆの前面によってそれぞれ阻止されるため、該積み重ねられた護岸ブロック１０が位置ズレ（主として前方向への位置ズレ）を生じることはない。依って、上段側の未設の護岸ブロック１０を下段側の既設の護岸ブロック１０上に積み重ねるときの労力を軽減でき、且つ、困難性を低減できるので、護岸構造物ＲＳを構築するときの施工性を向上できる。
【００４５】
（Ｅ２）前記護岸ブロック１０の本体部１１の下面に設けられた３個の突起１１ａ、１１ｂ及び１１ｃそれぞれの左右寸法が、各突起１１ａ、１１ｂ及び１１ｃが対応するように本体部１１の上面に設けられた３個の溝１１ｄ、１１ｅ及び１１ｆそれぞれの左右寸法よりも僅かに小さい。即ち、護岸構造物ＲＳの構築に際して上段側の未設の護岸ブロック１０を下段側の既設の護岸ブロック１０上に積み重ねるときに、未設の護岸ブロック１０の各突起１１ａ、１１ｂ及び１１ｃの左右位置が既設の護岸ブロック１０の各溝１１ｄ、１１ｅ及び１１ｆの左右位置よりも多少左右にずれていても該各突起１１ａ、１１ｂ及び１１ｃを各溝１１ｄ、１１ｅ及び１１ｆにそれぞれ挿入できるため、吊り下げ状態の護岸ブロック１０を左右方向に動かすときにさほど高い正確性を必要としない。依って、上段側の未設の護岸ブロック１０を下段側の既設の護岸ブロック１０上に積み重ねるときの労力をより軽減でき、且つ、困難性をより低減できるので、護岸構造物ＲＳを構築するときの施工性を一層向上できる。
【００４６】
（Ｅ３）前記護岸ブロック１０は、２個の張出板部１２の下端部に、本体板部１１の下面よりも下方に突出した延長部１２ｂ１及び１２ｃ１がその突出高さが前記３個の突起１１ａ、１１ｂ及び１１ｃの高さと略同じになるように設けられていて、該延長部１２ｂ１及び１２ｃ１の下面が各張出板部１２の実質的な下面を構成していると共に、２個の張出板部１２の上端部に、本体板部１１の上面よりも下方に窪んだ凹み１２ｄがその窪み深さが前記３個の溝１１ｄ、１１ｅ及び１１ｆの深さと略同じになるように設けられていて、該凹み１２ｄの底面が各張出板部１２の実質的な下面を構成している。依って、前記護岸ブロック１０の本体板部１１の下面に設けた３個の突起１１ａ、１１ｂ及び１１ｃの高さが高くなっても、既設の護岸ブロック１０上への未設の護岸ブロック１０の積み重ねを安定した状態で行える。
【００４７】
（Ｅ４）前記護岸ブロック１０は、（１）２個の張出板部１２のうちの左側の張出板部１２の左右方向中心と本体板部１１の左面との間隔ＩＮ２、並びに、右側の張出板部１２の左右方向中心と本体板部１１の右面との間隔ＩＮ３は、隣り合う２個の張出板部１２の左右方向中心間隔ＩＮ１の略１／２となっており、（２）本体板部１１の下面の３個の突起１１ａ、１１ｂ及び１１ｃのうちの左側の突起１１ｂの左右寸法、並びに、右側の突起１１ｃの左右寸法は、中央の突起１１ａの左右寸法の１／２以下となっており、（３）本体板部１１の上面の３個の溝１１ｄ、１１ｅ及び１１ｆのうちの左側の溝１１ｅの左右寸法、並びに、右側の溝１１ｆの左右寸法は、中央の溝１１ｄの左右寸法の１／２以下となっており、（４）本体板部１１の上面の中央の溝１１ｄは前端、左端及び右端が閉じ後端が開いた４面構成の溝形態を有し、左側の溝１１ｅは前端及び右端が閉じ後端及び左端が開いた３面構成の溝形態を有し、右側の溝１１ｆは前端及び左端が閉じ後端及び右端が開いた３面構成の溝形態を有している。依って、全ての護岸ブロック１０がマトリックス配列で積み重ねて護岸構造物ＲＳを構築できる他、偶数段目を構成する複数個の護岸ブロック１０を積み重ねるときに各護岸ブロック１０の左右方向位置を本体板部１１の左右寸法の略１／２に相当する寸法だけ左方向又は右方向にずらせば、護岸ブロック１０が千鳥配列で積み重ねられた護岸構造物ＲＳを構築できる。
【００４８】
（Ｅ５）前記護岸ブロック１０は、２個の張出板部１２の後面に胴込コンクリート充填用の第１凹部１２ｅを１個有し、２個の張出板部１２の下面に胴込コンクリート充填用の第２凹部が該１２ｆを１個有し、２個の張出板部１２の前記第１凹部１２ｅ及び前記第２凹部１２ｆを除く区域に胴込コンクリート充填用の貫通孔１２ｇを２個有している。即ち、各張出板部１２の後面が裏込コンクリート層ＢＣの表面に接するように積み重ねられた護岸ブロック１０における本体板部１１の後面と裏込コンクリート層ＢＣの表面との間に生コンクリートＲＭＣを流し込むことにより、該本体板部１１の後面と裏込コンクリート層ＢＣの表面との間に形成された空隙に加えて、各張出板部１２の第１凹部１２ｅによって形成された空隙と、各張出板部１２の第２凹部１２ｆによって形成された空隙と、各張出板部１２の２個の貫通孔１２ｇ内とに、胴込コンクリートＨＣを充填できる。本体板部１１の後面と裏込コンクリート層ＢＣの表面との間に形成された空隙に充填された胴込コンクリートＨＣは、護岸ブロック１０と裏込コンクリート層ＢＣとの連結強度を高める役目を果たす他、隣接する護岸ブロック１０相互の連結強度を高める役目を果たす。また、各張出板部１２の第１凹部１２ｅによって形成された空隙に充填された胴込コンクリートＨＣは、該各張出板部１２と裏込コンクリート層ＢＣとの連結強度を更に高める役目を果たす。さらに、各張出板部１２の第２凹部１２ｆによって形成された空隙に充填された胴込コンクリートＨＣは、隣接する護岸ブロック１０の各張出板部１２相互の連結強度を高める役目を果たす。さらに、各張出板部１２の２個の貫通孔１２ｇ内に充填された硬化コンクリートＨＣは、該各張出板部１２とその両側に充填された硬化コンクリートＨＣとの連結強度を高める役目を果たす。依って、前記護岸構造物ＲＳは、該護岸構造物ＲＳを構成する護岸ブロック１０それぞれと裏込コンクリート層ＢＣとの連結強度が高く、しかも、上下左右方向で隣接する護岸ブロック１０相互の連結強度が高いため、構築後の外観を長期に及んで良好に維持できるし、耐久性も優れている。
【００４９】
次に、前記護岸ブロック１０及び前記護岸構造物ＲＳの変形例について説明する。
【００５０】
（Ｍ１）図１には前記護岸ブロック１０として本体板部１１の前面が側面から見たときに鉛直線に対して鋭角範囲内の角度θ（図１（Ｃ）では略２６度）をもって後側に傾いたものを示したが、該角度θは鋭角範囲内の他の角度であっても良いし略零度としても良い。
【００５１】
（Ｍ２）図１には前記護岸ブロック１０の張出板部１２として基部１２ａ、中間部１２ｂ及び端部１２ｃを有するものを示したが、図９に示したように、端部１２ｃを除外して除外分の寸法だけ中間部１２ｂを後方向に延長した形態の張出板部１２-1を代わりに採用したり、或いは、図１０に示したように、全体の厚さが略一定である形態の張出板部１２-2を代わりに採用しても良い。
【００５２】
（Ｍ３）図１には前記護岸ブロック１０の張出板部１２として１個の第１凹部１２ｅと１個の第２凹部１２ｆと２個の貫通孔１２ｇを有するものを示したが、第１凹部１２ｅ、第２凹部１２ｆ及び貫通孔１２ｇの個数は前記以外の個数であっても良いし、第１凹部１２ｅ、第２凹部１２ｆ及び貫通孔１２ｇの側面輪郭も図示以外の形状としても良い。
【００５３】
（Ｍ４）図１には前記護岸ブロック１０として２個の張出板部１２を有するものを示したが、該張出板部の個数を３個以上としても良い。例えば、図１１に示したように、張出板部１２-3の数を３個とする場合には、（１）３個の張出板部１２-3のうちの最も左側の張出板部１２-3の左右方向中心と本体板部１１の左面との間隔ＩＮ２’、並びに、最も右側の張出板部１２-3の左右方向中心と本体板部１１の右面との間隔ＩＮ３’を、隣り合う２個の張出板部１２-3の左右方向中心間隔ＩＮ１’の略１／２とし、（２）本体板部１１の下面の４個の突起（図示省略）のうちの最も左側の突起の左右寸法、並びに、最も右側の突起の左右寸法を、中央２個の突起の左右寸法の１／２以下とし、（３）本体板部１１の上面の４個の溝１１ｄ’、１１ｅ’及び１１ｆ’のうちの最も左側の溝１１ｅ’の左右寸法、並びに、最も右側の溝１１ｆ’の左右寸法を、中央２個の溝１１ｄ’の左右寸法の１／２以下とし、（４）本体板部１１の上面の中央２個の溝１１ｄ’を前端、左端及び右端が閉じ後端が開いた４面構成の溝形態とし、最も左側の溝１１ｅ’を前端及び右端が閉じ後端及び左端が開いた３面構成の溝形態とし、最も右側の溝１１ｆ’を前端及び左端が閉じ後端及び右端が開いた３面構成の溝形態とすれば、図１に示した護岸ブロック１０と同様に、マトリックス配列又は千鳥配列で積み重ねられた護岸構造物ＲＳを構築することができる。
【００５４】
（Ｍ５）図２には前記護岸構造物ＲＳとして裏込コンクリート層ＢＣの表面に沿うように護岸ブロック１０を積み重ねたものを示したが、裏込コンクリート層ＢＣ以外の裏込層の表面に沿って護岸ブロック１０を積み重ねるようにしても良く、積み重ね段数にも特段の制限はない。
【００５５】
（Ｍ６）図２には前記護岸構造物ＲＳとして地盤の片側に設けられた１つの法面ＳＬを被覆して保護するものを示したが、地盤に両側に設けられた２つの法面を被覆して保護する護岸構造物や３つ以上の法面を被覆して保護する護岸構造物を構築することもできる。勿論、護岸構造物が構築される法面の勾配は、図２以外の勾配であっても良い。
【符号の説明】
【００５６】
１０…護岸ブロック、１１…本体板部、１１ａ，１１ｂ，１１ｃ…突起、１１ｄ，１１ｅ，１１ｆ，１１ｄ’，１１ｅ’，１１ｆ’…溝、１２，１２-1，１２-2，１２-3…張出板部、１２ａ…基部、１２ｂ…中間部、１２ｂ１…延長部、１２ｃ…端部、１２ｃ１…延長部、１２ｄ…凹み、１２ｅ…第１凹部、１２ｆ…第２凹部、１２ｇ…貫通孔、ＲＳ…護岸構造物、ＧＲ…地盤、ＳＬ…地盤の法面、ＢＭ…裏込砕石層、ＢＣ…裏込コンクリート層、ＦＰ…基礎部、ＡＣ…調整コンクリート部、ＲＭＣ…生コンクリート、ＨＣ…胴込コンクリート。
【図１】
0006588746.tif 000002
【図２】
0006588746.tif 000003
【図３】
0006588746.tif 000004
【図４】
0006588746.tif 000005
【図５】
0006588746.tif 000006
【図６】
0006588746.tif 000007
【図７】
0006588746.tif 000008
【図８】
0006588746.tif 000009
【図９】
0006588746.tif 000010
【図１０】
0006588746.tif 000011
【図１１】
0006588746.tif 000012